(57)【要約】      （修正有）【課題】ドア下部やドア取り付け具などを傷めることなく、且つドアが元に戻らないようにドアを止めて置く力を発揮できるドアストッパーを提供する。【解決手段】弾性部材で形成された楔型のドアストッパー１であって、前記ドアストッパー先端に向かって下方向に傾斜する面を有する傾斜面部２０と、前記傾斜面部の両側板部３０に設けられ、外側に向かって開くように取り付けられた板状の部材である側板部とを有し、前記ドアストッパーの断面形状は略ハの字形に形成してドアストッパー１を構成する。【選択図】図１
0003168178.tif 000002
【実用新案登録請求の範囲】
【請求項１】
弾性材料で形成された楔型のドアストッパーであって、
前記ドアストッパー先端に向かって下方向に傾斜する面を有する傾斜面部と、
前記傾斜面部の両側に設けられた板状の部材である２つの側板部と
を有し、
前記２つの側板部の短軸方向における間隔は、ドアストッパー上部から下部へ向かって拡大している
ことを特徴とするドアストッパー。
【請求項２】
前記ドアストッパーは、前記傾斜面部と側板部とで囲まれた空隙を有していることを特徴とする請求項１に記載のドアストッパー。
【請求項３】
前記ドアストッパーの短軸方向における断面形状は略ハの字形状であることを特徴とする、請求項１又は２に記載のドアストッパー。
【考案の詳細な説明】
【技術分野】
【０００１】
本考案はドアストッパーに関し、より詳しくはドアを傷めることがなく、よりしっかりとドアを止めることが可能なドアストッパーに関する。
【背景技術】
【０００２】
従来のドアストッパーは、木製や硬質ゴム製で楔型のものが広く利用されていた。このような楔形のドアストッパーをドアと床の隙間の間に差し込み、ドアを開いた状態で一時的にとどめておくために使用されていた（例えば、特許文献１）。
【先行技術文献】
【特許文献】
【０００３】
【特許文献１】実用新案登録第３０３３３５６号公報
【考案の概要】
【考案が解決しようとする課題】
【０００４】
従来のドアストッパーは、その材質が木材のように余り変形しないものだと、強くドアと床の間に差し込んだ場合、ドアストッパーがドア下部分を損傷してしまうことがあった。
また、従来のドアストッパーは、その材質が木材のように余り変形しないものだと、強くドアと床の間に差し込んでも、ドアを留め置くことができないと使用氏はよりしっかりドアと止めるように、強くドアをドアストッパー後端に向かって引っ張るが、その場合ドアストッパの傾斜に沿ってドアが強制的に上に押し上げられることになり、ドアと壁とを連結している蝶番金具などのドア取り付け具を変形させたり傷めたりすることがあった。
また、その材質がゴムのように容易に変形してしまうものだと、ドアが元に戻ろうとする力を受け止め続けることができず、ドアストッパーを噛ませたにもかかわらず、ドアが元に戻ってしまうという不都合もあった。
本考案の目的は、ドア下部やドア取り付け具などを傷めることなく、且つドアが元に戻らないようにドアを止めて置く力を発揮できるドアストッパーを提供することにある。
【課題を解決するための手段】
【０００５】
上記課題を解決するための手段として、本考案の実施の形態は以下の特徴を有する。
本考案の一実施の形態であるドアストッパー（１）は、弾性材料で形成された楔型のドアストッパーであって、ドアストッパー先端に向かって下方向に傾斜する面（１０）を有する傾斜面部（２０）と、傾斜面部の両側に設けられた板状の部材である２つの側板部（３０）とを有し、２つの側板部の短軸方向における間隔は、ドアストッパー上部から下部へ向かって拡大していることを特徴としている。
【考案の効果】
【０００６】
本考案によれば、ドア下部やドア取り付け具などを傷めることなく、且つドアが元に戻らないようにドアを止めて置く力を発揮できるドアストッパーを提供できる。
【図面の簡単な説明】
【０００７】
【図１】本考案の一実施形態にかかるドアストッパーの斜視図
【図２】（Ａ）は、図１に示したドアストッパーを後端側から見た背面図、（Ｂ）は、図１に示したドアストッパーを先端側から見た正面図
【図３】（Ａ）は、図１のＸ−Ｘ断面線に沿った断面図、（Ｂ）は、図１のＹ−Ｙ断面線に沿った断面図
【図４】（Ａ）は、ドアの下に挟まれる前の、床に置かれたドアストッパー１を後端側から見た図、（Ｂ）はドアの下に挟まれた後のドアストッパー１を後端側から見た図
【考案を実施するための形態】
【０００８】
以下、図面を参照しながら本考案の一実施形態について説明する。  
図１は、本考案の一実施形態にかかるドアストッパーの斜視図である。図２（Ａ）は、図１に示したドアストッパーを後端側（ドアの下に差し込む側と反対側の端部）から見た背面図である。図２（Ｂ）は、図１に示したドアストッパーを先端（ドアの下に差し込む側の端部）側から見た正面図である。図３（Ａ）は、図１のＸ−Ｘ断面線に沿った断面図であり、図３（Ｂ）は、図１のＹ−Ｙ断面線に沿った断面図である。なお、図１中のＸ−Ｘ断面線方向を「長軸方向」と、Ｙ−Ｙ断面線方向を「短軸方向」と呼ぶこととする。以下、図１、図２、及び図３を参照しながら、ドアストッパーの構成について説明する。
【０００９】
ドアストッパー１は、ドアストッパー後方（図１中左側）から前方（図１中右側）に向かってテーパー状に先細る、略楔（くさび）状の形状を有している。なお、本実施の形態では、楔の先端側が切落とされた形状となっているが、先端の切り落としのない形状であっても本考案は成立する。
【００１０】
ドアストッパー１は、硬質ゴムなどの弾性材料で形成されている。この弾性材料は、ドアと床等の間にドアストッパー１を差し込んだときに変形し、且つ元の形状に復元しようとすることでドアを留め置くことのできる弾性率を有する弾性材料であればどのような材料でもよい。
ドアストッパー１は、略楔型の形状を有している。ドアストッパー１の側面から見ると、このドアストッパー１は、ドアストッパー１先端に向かって下方向（図１中の下方）に傾斜する傾斜面１０を有する板状の部材である傾斜面部２０と、傾斜面部２０の両側に設けられ、外側に向かって開くように設けられた板状の部材である側板部３０とを有している。
【００１１】
傾斜面部２０の傾斜面１０は、ドアストッパーがドアの下に差し込まれたときにドアの下端に接する面である。傾斜面部２０の両側には、側板部３０が設けられている。図３（Ｂ）に図示するように、側板部３０は、前記ドアストッパーの短軸方向の断面形状は略ハの字形状となるように、傾斜面部２０の両側に取り付けられている。
【００１２】
ドアストッパー１は、傾斜面部２０と２つの側板部３０とで囲まれた空隙４０を有している。ドアストッパー１の後端は開口となっているが、先端側は壁で閉鎖されている。ドアストッパー１の下側は空隙４０につながる開口となっている。
【００１３】
ドアストッパー１の製造方法は、適宜な弾性材料を塊状の略くさび型となるように成形し、その後空隙４０を形成するよう、成形された塊を切掻き加工するようにしてもよいし、適宜な弾性材料から形成された板状の傾斜面部２０の両側に同じく板状の２つの側板部３０を接着、融着などの適宜な接合手法により取り付けることで作成するようにしてもよい。傾斜面部２０と２つの側板部３０とは必ずしも同種の弾性材料でなくともよい。
【００１４】
次に、ドアストッパー１の動作例について説明する。図４（Ａ）は、ドアの下に挟まれる前の、床に置かれたドアストッパー１を後端側から見た図、図４（Ｂ）は、ドアの下に挟まれた後のドアストッパー１を後端側から見た図である。
ドアの下に挟まれていない状態では、ドアストッパー１は変形なくそのままの状態で、図４（Ａ）に示したように床面５０上に起立している。
【００１５】
図４（Ｂ）に示したように、ドアストッパー１がドア６０の下縁に接し、さらにドア６０の下になるように押し込まれたり、ドア６０がドアストッパー１の後端に向かって引かれたりすると、傾斜面部１０がドア６０の下縁によって押し下げられ、側板部３０はハの字状にさらに大きく開くように変形させられる。この時、ドアストッパー１は空隙４０があることによって、全体が塊である従来のドアストッパーに比べて容易に変形するため、必要以上の力でドア６０に抗しないため、ドア６０を傷めることはない。また、ドアストッパー１がさらに深くドアの下に差し込まれるように、ドア６０を引いた場合でも必要以上の力でドア６０を押し上げることはなく、ドア６０と建造物（壁やドア枠などを含む）を連結し、ドアを開閉自在にするためのドア取り付け具(蝶番など）を変形させたり傷めたりすることも防止できる。
【００１６】
また、変形した側板部３０及び傾斜面部１０と側板部３０の連結部分は、弾性体であることによる復元力によって元の形状に戻ろうとし、床５０及び傾斜面部１０を上下に押す力を発する。よって、傾斜面部１０とドア６０との接している部分の摩擦力、側板部３０の下端面と床５０面との接している部分の摩擦力が十分に発揮され、ドアストッパー１はドア６０を十分に固定することができる。
【００１７】
[変形例]
本実施の形態にかかるドアストッパー１は以下のように変形することも可能である。
１．空隙４０内に、側板部３０を構成する弾性体とは異なる弾性率（好ましくは側板部３０が容易に変形するような、側板部３０より低い弾性率）を有する弾性材料を充てんするようにしても本考案は成立する。
２．上述の実施の形態では、ドアストッパー１の後端を開放端としたが、側板部３０の変形を著しく妨げない程度の厚さの壁を後端側に設けるようにしても本考案は成立する。
３．面１０は平面であるものとして説明したが、平面でなくともよく曲面、半球面、溝付き面であってもかまわない。
４．空隙４０内に、２つの側板部３０を連結する壁、板、連結棒のような部材をさらに設けて、側板部３０の復元力を強化する構成としても、本考案は成立する。
５．本実施の形態では、ドアストッパー１の下側面は空隙４０につながる開口としたが、部３０の変形を著しく妨げない程度の厚さの板状部材を設け、下側面を閉じる構成としても、本考案は成立する。この場合、ドアストッパー１と床面の接触面積が大きくとれるので、ドア６０を留め置く機能を向上できる。
６．本実施の形態では、ドアストッパー１の短軸方向断面形状は略ハの字形状であるとしたが、両側板部３０の短軸方向における間隔がドアストッパー１上部から下部へ向かって拡大するような形状であれば、他の形状であってもよく、例えば略三角形、略半球形状であっても本考案の技術的範囲内である。
【符号の説明】
【００１８】
１…ドアストッパー；  １０…傾斜面；  ２０…傾斜面部；  ３０…側板部；４０…空隙
【図１】
0003168178.tif 000003
【図２】
0003168178.tif 000004
【図３】
0003168178.tif 000005
【図４】
0003168178.tif 000006